(57)【要約】      （修正有）【課題】高倍率でありながら高い結像性能得ることができるコンパクトなズームレンズを提供する。【解決手段】物体側から順に正の屈折力の第１レンズ群Ｇ１、負の屈折力の第２レンズ群Ｇ２、正の屈折力の第３レンズ群Ｇ３、負の屈折力の第４レンズ群Ｇ４、及び正の屈折力の第５レンズ群Ｇ５から構成され、広角端から望遠端への変倍において、第１レンズ群と第２レンズ群の間隔が増加し、第２レンズ群と第３レンズ群の間隔が減少し、第３レンズ群と第４レンズ群の間隔が変化し、第４レンズ群と第５レンズ群の間隔が減少するように、全てレンズ群が物体側に移動し、第３レンズ群は物体側から順に正レンズ３枚と負レンズ１枚からなり、第５レンズ群は、物体側から順に正の屈折力の第５Ａレンズ群と、第５Ａレンズ群と空気間隔を空けて配置された負の屈折力の第５Ｂレンズ群とからなり、所定の条件式を満足するズームレンズ。【選択図】図１
2014016400.tif 000002
【特許請求の範囲】
【請求項１】
物体側から順に、正の屈折力の第１レンズ群、負の屈折力の第２レンズ群、正の屈折力の第３レンズ群、負の屈折力の第４レンズ群、及び正の屈折力の第５レンズ群から構成され、
広角端から望遠端への変倍において、前記第１レンズ群と第２レンズ群の間隔が増加し、前記第２レンズ群と第３レンズ群の間隔が減少し、前記第３レンズ群と第４レンズ群の間隔が変化し、前記第４レンズ群と第５レンズ群の間隔が減少するように、全てレンズ群が物体側に移動するズームレンズであって、
前記第３レンズ群は物体側から順に正レンズ３枚と負レンズ１枚からなり、
前記第５レンズ群は、物体側から順に正の屈折力の第５Ａレンズ群と、該第５Ａレンズ群と空気間隔を空けて配置された負の屈折力の第５Ｂレンズ群とからなり、前記第５Ａレンズ群は物体側から順に正レンズ、負レンズと正レンズとの接合レンズを含み、前記第５Ｂレンズ群は少なくとも負レンズ１枚を含み、以下の条件式を満足することを特徴とするズームレンズ。
（１）0.23＜f1/ft＜0.41
（２）0.03＜|f2/ft|＜0.06
（３）0.9＜f345t/f3＜1.5
ｆ１：第１レンズ群の焦点距離
ｆ２：第２レンズ群の焦点距離
ｆ３：第３レンズ群の焦点距離
ｆｔ：望遠端の焦点距離
ｆ３４５ｔ：望遠端のにおける第３レンズ群から第５レンズ群までの合成焦点距離
【請求項２】
以下の条件式を満足することを特徴とする請求項１に記載のズームレンズ
（４）0.16＜R/f5<0.42
（５）0.01＜D/f5＜0.20
（６）0.34＜f5a/f5<0.74
R：第5Aレンズ群中の最も物体側にある接合レンズの接合面の曲率半径
f5：第5レンズ群の焦点距離
D：第5Aレンズ群と第5Bレンズ群との光軸上の空気間隔
f5a：第5Aレンズ群の焦点距離
【請求項３】
以下の条件式を満足することを特徴とする請求項１記載のズームレンズ
（７）1.28＜Z3＜2.03
Z3:(第３レンズ群以降の望遠端での近軸結像倍率)／(広角端の近軸結像倍率)
【請求項４】
以下の条件式を満足することを特徴とする請求項１に記載のズームレンズ
（８）6.2＜|Ｚ5|＜28.2
Z：（望遠端のおける第５レンズ群の倍率）／（広角端のおける第５レンズ群の倍率）
【発明の詳細な説明】
【技術分野】
【０００１】
本発明は、ズームレンズ、特に、高倍率でありながら高い結像性能を有するズームレンズにする。
【背景技術】
【０００２】
従来の上述した高倍率のズームレンズとしては、物体側から順に、正の屈折力を有する第１レンズ群Ｇ１と負の屈折力を有する第２レンズ群Ｇ２と正の屈折力を有する第３レンズ群Ｇ３と負の屈折力を有する第４レンズ群Ｇ４と正の屈折力を有する第５レンズ群Ｇ５を少なくとも有し、広角端に対し望遠端においては、該第１レンズ群Ｇ１と該第２レンズ群Ｇ２との間の空気間隔が拡大し、該第２レンズ群Ｇ２と該第３レンズ群Ｇ３との間の空気間隔が縮小し、該第３レンズ群Ｇ３と該第４レンズ群Ｇ４との間の空気間隔が拡大し、該第４レンズ群Ｇ４と該第５レンズ群Ｇ５との間の空気間隔が縮小することによって変倍し、望遠端における該第１レンズ群Ｇ１と該第２レンズ群Ｇ２の間隔をＤ1Tとし、広角端における該第１レンズ群Ｇ１と該第２レンズ群Ｇ２の間隔をＤ1Wとし、広角端の全系の焦点距離をｆｗ、前記第１レンズ群Ｇ１の焦点距離をｆ１、前記第２レンズ群Ｇ２の焦点距離をｆ２としたとき、
（１）２．３＜（Ｄ1T−Ｄ1W）／ｆｗ＜１０
（２）６．６＜ｆ１／｜ｆ２｜＜１５
を満足するズームレンズが提案されている（例えば、特許文献１参照）。
【０００３】
従来の他の高倍率のズームレンズとしては、物体側から順に、正の屈折力の第１レンズ群、負の屈折力の第２レンズ群、正の屈折力の第３レンズ群、負の屈折力の第４レンズ群及び正の屈折力の第５レンズ群で構成され、広角端から望遠端への変倍に際し、前記第１レンズ群と第２レンズ群の間隔が増加、前記第２レンズ群と第３レンズ群の間隔が減少、前記第３レンズ群と第４レンズ群の間隔が増加、前記第４レンズ群と第５レンズ群の間隔が減少するように少なくとも前記第１レンズ群、第３レンズ群、第５レンズ群を物体側に移動させるズームレンズであって、前記第１レンズ群、第３レンズ群の焦点距離を各々ｆ1，ｆ3、広角端、望遠端における全系の焦点距離を各々ｆW，ｆT、（望遠端の近軸横倍率）／（広角端の近軸横倍率）で定義される前記第２レンズ群、第３レンズ群の変倍分担値を各々Ｚ2，Ｚ3とするとき、０．３＜ｆ1／ｆT＜０．８１．２＜Ｚ2／Ｚ3＜３．００．５＜ｆ3／ｆW＜０．８なる条件式を満足する高変倍ズームレンズが提案されている（例えば、特許文献２参照）。
【０００４】
従来のさらに高倍率のズームレンズとしては、物体側より順に、正屈折力の第１レンズ群、負屈折力の第２レンズ群、正屈折力の第３レンズ群、負屈折力の第４レンズ群、及び、正屈折力の第５レンズ群で構成され、広角端から望遠端への変倍時に、第１レンズ群と第２レンズ群の間隔、及び、第３レンズ群と第４レンズ群の間隔が大きくなり、第２レンズ群と第３レンズ群の間隔、及び、第４レンズ群と第５レンズ群の間隔が小さくなり、以下の条件式を満足することを特徴とするズームレンズ。
２．０＜ｆ1 ／ｆW ≦４．８４２４ ・・・（１）
０．４＜｜ｆ2 ／ｆW ｜＜１．０ ・・・・（２）
０．３＜ｆ3 ／ｆT345≦０．８２１７ ・・（３）
０．６＜｜ｆ4 ｜／ｆT345＜５．０ ・・・（４）
０．９１５４≦ｆ5 ／ｆT345＜４．０ ・・（５）
ただし、
ｆW は、広角端における全系の焦点距離
ｆ1 は、第１レンズ群の焦点距離
ｆ2 は、第２レンズ群の焦点距離
ｆ3 は、第３レンズ群の焦点距離
ｆ4 は、第４レンズ群の焦点距離
ｆ5 は、第５レンズ群の焦点距離
ｆT345は、望遠端における第３レンズ群から第５レンズ群までの焦点距離
であるズームレンズが提案されている（例えば、特許文献３参照）。
【先行技術文献】
【特許文献】
【０００５】
【特許文献１】特許第４０５１７３１号公報
【特許文献２】特許第３２３６０３７号公報
【特許文献３】特許第３８０７７１２号公報
【発明の概要】
【発明が解決しようとする課題】
【０００６】
特許文献１等のズームレンズにおいては、本発明と同じレンズ群構成で、第１レンズ群と第２レンズ群との空気間隔を狭くし、さらに第１レンズ群と第２レンズ群の焦点距離を短くすることによりコンパクト化を実現したズームレンズ光学系を提案している。しかし、特許文献１のズームレンズにおいては、本発明が目的とするサイズに達しておらず、コンパクト化が不足している。さらに、特許文献１のレンズタイプでは、コンパクト化に伴う望遠端の球面収差及び軸上色収差の悪化の改善に限界がある。
【０００７】
特許文献２等のズームレンズにおいては、本発明と同じパワー配分の光学系を提案している。しかし、実施例を見る限り結像性能の優れた光学系となっていない。特に、望遠端の球面収差、軸上色収差の補正が不十分である。特許文献２等のズームレンズは、コンパクト化も不十分である。
【０００８】
特許文献３等のズームレンズにおいては、本発明と同じパワー配分の光学系を提案している。特許文献３の実施形態は小さい像高のフォーサーズ用のイメージサイズで最適化されたものであるため、それよりもイメージサイズが大きいフルサイズ用光学系とした場合、コンパクト化や高結像性能の要望を満足させることができない。
【０００９】
（発明の目的）
本発明は、従来のズームレンズの上述した問題点に鑑みてなされたものであって、高倍率でありながら高い結像性能を得ることができるコンパクトなズームレンズを提供することを目的とする。
【課題を解決するための手段】
【００１０】
本発明は、物体側から順に、正の屈折力の第１レンズ群、負の屈折力の第２レンズ群、正の屈折力の第３レンズ群、負の屈折力の第４レンズ群、及び正の屈折力の第５レンズ群から構成され、
広角端から望遠端への変倍において、前記第１レンズ群と第２レンズ群の間隔が増加し、前記第２レンズ群と第３レンズ群の間隔が減少し、前記第３レンズ群と第４レンズ群の間隔が変化し、前記第４レンズ群と第５レンズ群の間隔が減少するように、全てのレンズ群が物体側に移動するズームレンズであって、
前記第３レンズ群は物体側から順に正レンズ３枚と負レンズ１枚からなり、
前記第５レンズ群は、物体側から順に正の屈折力の第５Ａレンズ群と、該第５Ａレンズ群と空気間隔を空けて配置された負の屈折力の第５Ｂレンズ群とからなり、前記第５Ａレンズ群は物体側から順に正レンズ、負レンズと正レンズとの接合レンズを含み、前記第５Ｂレンズ群は少なくとも負レンズ１枚を含み、以下の条件式を満足することを特徴とするズームレンズである。
（１）0.23＜f1/ft＜0.41
（２）0.03＜|f2/ft|＜0.06
（３）0.9＜f345t/f3＜1.5
ｆ１：第１レンズ群の焦点距離
ｆ２：第２レンズ群の焦点距離
ｆ３：第３レンズ群の焦点距離
ｆｔ：望遠端の焦点距離
ｆ３４５ｔ：望遠端のにおける第３レンズ群から第５レンズ群までの合成焦点距離
【００１１】
（本発明の実施形態１）
前記本発明において、以下の条件式を満足することを特徴とするズームレンズである。
（４）0.16＜R/f5<0.42
（５）0.01＜D/f5＜0.20
（６）0.34＜f5a/f5<0.74
R：第5Aレンズ群中の最も物体側にある接合レンズの接合面の曲率半径
f5：第5レンズ群の焦点距離
D：第5Aレンズ群と第5Bレンズ群との光軸上の空気間隔
f5a：第5Aレンズ群の焦点距離
【００１２】
（本発明の実施形態２）
前記本発明において、以下の条件式を満足することを特徴とするズームレンズである。
（７）1.28＜Z3＜2.03
Z3:（第３レンズ群以降の望遠端での近軸結像倍率）／（広角端の近軸結像倍率の比）
【００１３】
（本発明の実施形態３）
前記本発明において、以下の条件式を満足することを特徴とするズームレンズである。
（８）6.2＜|Ｚ5|＜28.2
Z：（望遠端のおける第５レンズ群の近軸結像倍率）／（広角端のおける第５レンズ群の近軸結像倍率）
【発明の効果】
【００１４】
本発明のズームレンズによれば、第１レンズ群を４枚構成とし、高倍率でありながら高い結像性能を得るつつコンパクトなズームレンズを構成させることができる。
高倍率ズームレンズをコンパクト化にするためには、各レンズ群の焦点距離の最適化が必須である。例えば、第１レンズ群や第２レンズ群の焦点距離を短くする等があげられる。しかし、望遠端の結像性能、特に望遠端の軸上色収差や倍率色収差が劣化してその補正が難しくなるという問題が発生する。本発明によれば、これらの収差を良好に補正し、高い結像性能を実現させることができる。
【００１５】
（条件式（１）の説明）
条件式（１）は、第１レンズ群の焦点距離を短くし、レンズ全長、特に望遠端での全長を短くするためのものである。また、第２レンズ群から像側へ出射する光束径を適切にしかつ絞り径を小さくすることにより、絞りユニットの大型化を避けて鏡筒外径を小さくするための条件でもある。
条件式（１）の下限値を越えて第１レンズ群の焦点距離が短くなると、第１レンズ群で発生する望遠側での球面収差が著しく大きくなる。この大きくなった球面収差を第２レンズ群以降のレンズ群で補正することは、困難である。
条件式（１）の上限値を越えると、前述のコンパクト化の目的に反する。さらに、所望とする変倍比を得るためにはレンズ移動量を大きくしなければならない。その上、鏡筒をカム筒等で構成させた場合、筒の繋ぎ部の保持構造が大型化するなどコンパクト化に対する課題が大きくなり、設計が困難になる。
【００１６】
条件式（１）は、より好ましくは、0.25＜f1/ft＜0.37である。これにより、鏡筒サイズを小さくし、かつ特に望遠端の色収差を良好にすることができる。
【００１７】
（条件式（２）の説明）
条件式（２）は、第２レンズ群の適切なパワー配置の範囲を規定する条件である。例えば、画角７０°以上で、変倍比１０倍以上のズームレンズを、小型化・小径化で達成しようとすると、第１レンズ群および第２レンズ群のパワーバランスが重要になる。特に本発明では、広角端において強いレトロフォーカスのパワー配置にしているため、良好な収差補正を達成するためには、条件式（１）と合わせ、第２レンズ群のパワーバランスを適切に設定することが必須である。
条件式（２）の下限を下回る場合、第２レンズ群の焦点距離の絶対値が比較的大きくなり、すなわち第２レンズ群のパワーを比較的緩い値で設定することになる。この場合、変倍時の第２レンズ群の移動量が増加するため、全系の大型化や全長変化の増大を招く。この場合、また、相対的に第１レンズ群のパワーが強くなるため、特に広角端の主光線の入射高が上昇し、結果的にフィルターサイズの増大を招き、好ましくない。
条件式（２）の上限を上回る場合、第２レンズ群の焦点距離が絶対値が比較的小さくなり、すなわち第２レンズ群のパワーを比較的強い値で設定することになる。この場合、広角側の歪曲の増大、ペッツバール和の悪化による非点収差の増大、下方コマ収差の変倍による変動、望遠側の球面収差の増大等を招き、好ましくない。
【００１８】
なお、条件式（２）の下限を０．０４より大きく設定することにより、より確実にフィルターサイズの小径化が可能になり、更に条件式（２）の上限を０．０５より小さく設定することによって、収差の良好な補正、高い結像性能という本発明の効果を最大限に得ることができる。
【００１９】
（条件式（３）の説明）
条件式（３）は、第３レンズ群の焦点距離を規定するものである。全長の小型化には、第３レンズ群の焦点距離の短縮化が避けられない。しかし、コンパクトで高い結像性能の光学系を得ようとすると、第３レンズ群で発生する残存収差を適切に補正しなければならない。本発明では、第３レンズ群を、物体側から順に３枚の凸レンズと１枚の凹レンズより構成している。この構成は、特に広角端における軸外光線の下光線側のコマ収差の補正に好ましい。この構成は、さらに望遠側の球面収差補正も同時に補正できる。条件式（３）は、さらに、焦点距離を適正に与えて、収差の発生量と全長の良好なバランスを与える条件である。
条件式（３）の上限を越えて第３レンズ群の焦点距離を短くすると、第３レンズ群による収差発生を補正することが困難となる。
条件式（３）の下限を越えると、バックフォーカスが長くなりすぎ、全長のコンパクト化を図ることが困難となる。
【００２０】
条件式（３）を満足させてコンパクトな光学系を得た上で、さらに望遠端の結像性能を向上させるには、球面収差性能を向上させる必要がある。それを実現するため、すなわち、鏡筒サイズを小さくしつかつワイドからテレにかけての球面収差コマ収差を良好にするため、
（３’）    0.99＜f345t/f3＜1.33
であることが好ましい。
【００２１】
（条件式（４）の説明）
条件式（４）は、第５Aレンズ群の構成中、ダブレットからなる凹凸構成のレンズの接合面が、望遠端での球面収差の補正に強く関与する面となることに鑑みた条件式である。
条件式（４）の下限を超え、曲率半径が小さくなり過ぎると、凸レンズのコバ厚を製造上問題ない程度の値に確保する際、中心肉厚を増加させなければならない。その結果、軸外の最周辺光線が上がり周辺光量の確保が困難となり、好ましくない。
条件式（４）の上限を超え、曲率半径が大きくなりすぎると、第５Aレンズ群の接合面での球面収差補正能力が減り、所望の結像性能を確保することが困難となり、好ましくない。
【００２２】
条件式（４）に関し、より好ましくは、
（４’）    0.21＜R/f5<0.35
である。このように限定することにより、特に望遠端の倍率色収差を良好に補正することができる。
【００２３】
（条件式（５）の説明）
条件式（５）は、第５Ａレンズ群と第５Ｂレンズ群の空気間隔Ｄと、第５Ａレンズ群の焦点距離の関係を規定して、最終レンズのレンズ径を小さくするための条件式である。
条件式（５）の下限を超えて空気間隔Ｄが狭くなると、第５Ａレンズ群から第５Ｂレンズ群にかけての周辺光線を下げる効果が薄れてしまい，第５Ｂレンズ群の有効径が大きくなり、鏡筒サイズが大きくなり，好ましくない。
条件式（５）の上限を超えて空気間隔Ｄを広くすることは、第５Ｂレンズ群の有効径を小さくするために好ましい。しかし、軸外主光線の撮像面への入射角度が大きくなり、撮像素子の受光角度と受光効率の関係に起因する周辺減光につながり、好ましくない。
【００２４】
（条件式（６）の説明）
条件式（６）は、第５Ａレンズ群の焦点距離と、第５レンズ群の焦点距離の関係を規定し、第５レンズ群すなわち最終レンズのレンズ径を小さくするための条件式である。
条件式（６）の下限を超えて第５Ａレンズ群の焦点距離が短くなると、中間焦点距離での球面収差がアンダー側にふれ、補正が困難となり、好ましくない。
条件式（６）の上限を超えると、逆に中間焦点距離での球面収差がオーバー側に振れ、補正が困難となり、好ましくない。
【００２５】
（条件式（７）の説明）
条件式（７）は、第１レンズ群の径を小さくし、さらに光学系をコンパクト化するための条件式である。
本発明のズームレンズにおいては、第１レンズ群の外径すなわち前玉径は、望遠端の最短撮影距離状態で決まる。第１レンズ群の最大光線高さを低くするには、広角端から望遠端にかけての第３レンズ群以降の変倍比を大きくすることが必要となる。
条件式（７）の上限を超えて変倍比を大きくすると、第１レンズ群の外径すなわち前玉径を小さくすることができるが、絞りから前の第２レンズ群の移動量を小さくしなくてはならない。このように絞りから前の第２レンズ群の移動量を小さくすることは、第２レンズ群の焦点距離の短縮化につながり、また広角端での像面湾曲がオーバーとなり、良好な結像性能が得られなくなり、好ましくない。
条件式（７）の下限を超えて変倍比が小さくなると、第２レンズ群で変倍比を稼がなければならず、望遠端で入射瞳位置が深くなり、第１レンズ群の有効径が大きくなるため望ましくない。
【００２６】
（条件式（８）の説明）
条件式（８）は、望遠端のおける第５レンズ群の倍率と広角端のおける第５レンズ群の倍率の比を規定している。
条件式（８）の上限を超えて望遠端における第５レンズ群の倍率が大きくなると、第５レンズ群の移動量を大きくしなければならず、カム等のメカ部品を構成することができなくなる。
条件式（８）の下限を超えて望遠端における第５レンズ群の倍率が小さくなると、所望する変倍比を確保することができなくなる。また、第１レンズ群の外径すなわち前玉径が大きくなり、好ましくない。
【図面の簡単な説明】
【００２７】
【図１】本発明のズームレンズの第１実施形態に係るレンズ構成の広角端での光学断面図である。
【図２】本発明のズームレンズの第１実施形態に係るレンズの広角端状態に於ける無限遠合焦時の球面収差図、非点収差図及び歪曲収差図である。
【図３】本発明のズームレンズの第１実施形態に係るレンズの中間焦点距離状態に於ける無限遠合焦時の球面収差図、非点収差図及び歪曲収差図である。
【図４】本発明のズームレンズの第１実施形態に係るレンズの望遠端状態に於ける無限遠合焦時の球面収差図、非点収差図及び歪曲収差図である。
【図５】本発明のズームレンズの第２実施形態に係るレンズ構成の広角端での光学断面図である。
【図６】本発明のズームレンズの第２実施形態に係るレンズの広角端状態に於ける無限遠合焦時の球面収差図、非点収差図及び歪曲収差図である。
【図７】本発明のズームレンズの第２実施形態に係るレンズの中間焦点距離状態に於ける無限遠合焦時の球面収差図、非点収差図及び歪曲収差図である。
【図８】本発明のズームレンズの第２実施形態に係るレンズの望遠端状態に於ける無限遠合焦時の球面収差図、非点収差図及び歪曲収差図である。
【図９】本発明のズームレンズの第３実施形態に係るレンズ構成の広角端での光学断面図である。
【図１０】本発明のズームレンズの第３実施形態に係るレンズの広角端状態に於ける無限遠合焦時の球面収差図、非点収差図及び歪曲収差図である。
【図１１】本発明のズームレンズの第３実施形態に係るレンズの中間焦点距離状態に於ける無限遠合焦時の球面収差図、非点収差図及び歪曲収差図である。
【図１２】本発明のズームレンズの第３実施形態に係るレンズの望遠端状態に於ける無限遠合焦時の球面収差図、非点収差図及び歪曲収差図である。
【図１３】本発明のズームレンズの第４実施形態に係るレンズ構成の広角端での光学断面図である。
【図１４】本発明のズームレンズの第４実施形態に係るレンズの広角端状態に於ける無限遠合焦時の球面収差図、非点収差図及び歪曲収差図である。
【図１５】本発明のズームレンズの第４実施形態に係るレンズの中間焦点距離状態に於ける無限遠合焦時の球面収差図、非点収差図及び歪曲収差図である。
【図１６】本発明のズームレンズの第４実施形態に係るレンズの望遠端状態に於ける無限遠合焦時の球面収差図、非点収差図及び歪曲収差図である。
【図１７】本発明のズームレンズの第５実施形態に係るレンズ構成の広角端での光学断面図である。
【図１８】本発明のズームレンズの第５実施形態に係るレンズの広角端状態に於ける無限遠合焦時の球面収差図、非点収差図及び歪曲収差図である。
【図１９】本発明のズームレンズの第５実施形態に係るレンズの中間焦点距離状態に於ける無限遠合焦時の球面収差図、非点収差図及び歪曲収差図である。
【図２０】本発明のズームレンズの第５実施形態に係るレンズの望遠端状態に於ける無限遠合焦時の球面収差図、非点収差図及び歪曲収差図である。
【図２１】本発明のズームレンズの第６実施形態に係るレンズ構成の広角端での光学断面図である。
【図２２】本発明のズームレンズの第６実施形態に係るレンズの広角端状態に於ける無限遠合焦時の球面収差図、非点収差図及び歪曲収差図である。
【図２３】本発明のズームレンズの第６実施形態に係るレンズの中間焦点距離状態に於ける無限遠合焦時の球面収差図、非点収差図及び歪曲収差図である。
【図２４】本発明のズームレンズの第６実施形態に係るレンズの望遠端状態に於ける無限遠合焦時の球面収差図、非点収差図及び歪曲収差図である。
【図２５】本発明のズームレンズの第７実施形態に係るレンズ構成の広角端での光学断面図である。
【図２６】本発明のズームレンズの第７実施形態に係るレンズの広角端状態に於ける無限遠合焦時の球面収差図、非点収差図及び歪曲収差図である。
【図２７】本発明のズームレンズの第７実施形態に係るレンズの中間焦点距離状態に於ける無限遠合焦時の球面収差図、非点収差図及び歪曲収差図である。
【図２８】本発明のズームレンズの第７実施形態に係るレンズの望遠端状態に於ける無限遠合焦時の球面収差図、非点収差図及び歪曲収差図である。
【発明を実施するための形態】
【００２８】
以下に示す実施形態において、諸元光学データにおける面番号NSは物体側から数えたレンズ面の順番、Rはレンズ面の曲率半径(mm)、Dはレンズ面の光軸上の間隔(mm)、Nｄはｄ線（波長λ=587.6ｎｍ）に対する屈折率、νｄはｄ線（波長λ=587.6ｎｍ）に対するアッベ数をそれぞれ示している。また、面番号の後側にＳＴＯＰを付したものは、絞りを示す。面番号の後側にＡＳＰＨを付したものは、非球面を示し、その曲率半径Rの欄には該非球面の近軸曲率半径(mm)を示している。
【００２９】
（第１実施形態）
NS            R           D          Nd        ABV
1         144.4427      1.3000     1.84666    23.78
2          73.3303      7.0500     1.49700    81.61
3        -352.5295      0.1500   
4          60.9991      4.5000     1.77250    49.62
5         170.9549      D( 5)   
6 ASPH     69.0969      1.3000     1.85135    40.10
7 ASPH     15.4637      5.5500 
8         -43.8865      0.7500     1.77250    49.60
9          33.1060      0.2025    
10          28.3357      4.9000     1.84666    23.78
11         -31.9256      0.7500  
12 ASPH    -20.4452      1.1000     1.80139    45.45
13 ASPH  -1951.6514      D(13)   
14 STOP      0.0000      1.0000  
15          30.1405      2.3500     1.72916    54.67
16         151.6594      0.1500   
17          45.5256      3.2000     1.49700    81.54
18         -61.5132      1.4382   
19 ASPH     44.8466      4.1000     1.62263    58.16
20         -29.9803      0.7000     1.92286    20.88
21        -112.2565      D(21)    
22 ASPH    -84.8951      0.8000     1.82080    42.71
23          19.3535      2.5000     1.80809    22.76
24          40.7818      1.0000  
25           0.0000      D(25)   
26          35.7535      2.6000     1.49700    81.61
27         336.3732      0.1500  
28          34.5263      0.9000     1.80610    33.27
29          15.7916     10.3000     1.51742    52.43
30         -24.1113      0.6000  
31 ASPH    -24.4080      1.3000     1.80610    40.73
32 ASPH    109.5351      0.3246   
33         109.0382      2.3000     1.84666    23.78
34        -109.0382      D(34)
【００３０】
上表において、面番号の後側にＡＳＰＨを付した非球面は、次式で表わされる。
X(y)＝（ｙ2／Ｒ）／〔１＋（１−ε・ｙ2／Ｒ2）1/2〕＋Ａ4・ｙ4＋Ａ6・ｙ6＋Ａ8・ｙ8＋Ａ10・ｙ10
ここで、X(y)は光軸から垂直方向の高さｙにおける各非球面の頂点から光軸方向に沿った距離（サグ量）、Ｒは基準球面の曲率半径（近軸曲率半径）、εは円錐係数、Ａ4,Ａ6,Ａ8,Ａ10は非球面係数である。
【００３１】
ASPH     0(EP)      4(B)           6(C)           8(D)           10(E)
6      1.0000  -1.02722e-005   9.47619e-008   2.23938e-010  -1.30201e-012
7      1.0000  -1.22226e-005   1.42570e-008   6.69588e-010   1.54928e-011
12      1.0000   1.92359e-007   1.76312e-008   1.41900e-009  -6.82224e-012
13      1.0000  -8.40889e-006   3.95017e-008   8.51233e-010  -6.25657e-012
19      1.0000  -1.73425e-005   3.54976e-009  -2.42064e-010   1.08660e-012
22      1.0000   1.01277e-005  -3.85915e-008   3.57802e-010  -2.10834e-012
31      1.0000   7.44476e-006  -1.04046e-007   1.60233e-010   1.03331e-012
32      1.0000   1.83255e-005  -1.23544e-007   3.84014e-010  -2.20579e-013
【００３２】
以下に、ズーム作動における面間隔の変化、すなわち広角端状態(f=28.8374mm)、中間焦点距離状態(f=91.5081mm)、及び望遠端状態(f=291.2748mm)の面間隔を示す。
f         28.8374         91.5081          291.2748
D( 5)        1.7385         31.7224           55.2905
D(13)       20.1018          9.8747            1.2935
D(21)        1.1457          2.0532            1.3255
D(25)        9.4727          3.4243            0.2541
D(34)       41.7770         74.3796           97.5735
【００３３】
（第２実施形態）
NS            R           D          Nd        ABV
1         165.4170      1.3000     1.84666    23.78
2          78.2825      7.0500     1.49700    81.61
3        -262.6869      0.1500   
4          56.6866      4.5000     1.77250    49.62
5         137.2664      D( 5)   
6 ASPH     51.6321      1.3000     1.85135    40.10
7 ASPH     16.8131      5.5500   
8         -39.5877      0.7500     1.77250    49.60
9          26.8307      0.1503   
10          22.4842      4.9000     1.84666    23.78
11         -35.6617      0.7500  
12 ASPH    -23.7495      1.1000     1.80139    45.45
13 ASPH     76.2738      D(13)  
14 STOP      0.0000      1.0000   
15          30.3675      2.3500     1.72916    54.67
16         134.2288      0.1500   
17          77.5720      3.2000     1.49700    81.54
18         -35.1440      0.3806   
19 ASPH     59.3262      4.1000     1.62263    58.16
20         -26.4811      0.7000     1.92286    20.88
21         -96.5604      D(21)  
22 ASPH    -29.4012      0.8000     1.82080    42.71
23          28.7696      2.5000     1.80809    22.76
24         668.4314      1.0000   
25           0.0000      D(25)     
26          40.7266      2.6000     1.49700    81.61
27        -358.6556      0.1500   
28          40.0963      0.9000     1.80610    33.27
29          16.2080     10.3000     1.51742    52.43
30         -26.7047      8.0000  
31 ASPH    -19.3712      1.3000     1.80610    40.73
32 ASPH   -130.5515      0.1500   
33         114.4711      2.3000     1.84666    23.78
34        -114.4711      D(34)
【００３４】
ASPH     0(EP)      4(B)           6(C)           8(D)           10(E)
6      1.0000  -1.02898e-005   1.32806e-008   4.14964e-010  -1.14281e-012
7      1.0000  -4.54015e-006  -2.99873e-008   1.48509e-010   9.52196e-012
12      1.0000  -1.45590e-005   1.35493e-007   9.20300e-010  -6.38245e-012
13      1.0000  -2.09844e-005   2.10303e-007   9.95158e-011  -2.78425e-012
19      1.0000  -1.17129e-005  -1.28776e-008  -2.99834e-010  -2.62680e-013
22      1.0000   9.05935e-006  -7.04922e-009   1.61796e-010   3.31478e-013
31      1.0000   1.55089e-005   6.75931e-009   1.37274e-010   2.91828e-012
32      1.0000   2.01929e-005  -4.16583e-008   1.86903e-010   3.89638e-013
【００３５】
以下に、ズーム作動における面間隔の変化、すなわち広角端状態(f=28.8400mm)、中間焦点距離状態(f=91.4995mm)、及び望遠端状態(f=291.2891mm)の面間隔を示す。
f         28.8400        91.4995         291.2891
D( 5)        0.1500        28.3915          54.5232
D(13)       18.8349         9.4189           1.2935
D(21)        0.1500         1.8676           1.3054
D(25)        7.1371         3.2126           1.0345
D(34)       40.0000        73.2054          89.6133
【００３６】
（第３実施形態）
NS            R           D          Nd       ABV
1         148.8687      1.2621     1.84666   23.78
2          73.2878      6.8447     1.49700   81.61
3        -298.5898      0.1456   
4          59.0312      4.3689     1.77250   49.62
5         163.8576      D( 5)   
6 ASPH     65.1612      1.2621     1.85135   40.10
7 ASPH     15.8363      5.3883   
8         -37.5960      0.7282     1.77250   49.60
9          31.1965      0.1824   
10          26.6117      4.7573     1.84666   23.78
11         -30.9717      0.7282   
12 ASPH    -20.4198      1.0680     1.80139   45.45
13 ASPH    503.3053      D(13)    
14 STOP      0.0000      0.9709   
15          28.9676      2.2816     1.72916   54.67
16         135.9423      0.1456   
17          42.4624      3.1068     1.49700   81.54
18         -60.8572      1.1511   
19 ASPH     45.8555      3.9806     1.62263   58.16
20         -28.3180      0.6796     1.92286   20.88
21        -104.5012      D(21)    
22 ASPH    -64.6501      0.7767     1.82080   42.71
23          19.6160      2.4272     1.80809   22.76
24          45.9508      0.9709   
25           0.0000      D(25)    
26          35.2419      2.5243     1.49700   81.61
27         454.3686      0.1456  
28          35.4432      0.8738     1.80610   33.27
29          15.6085     10.0000     1.51742   52.43
30         -22.4842      1.9608   
31 ASPH    -20.0635      1.2621     1.80610   40.73
32 ASPH    451.5013      0.1764   
33         106.4044      2.2330     1.84666   23.78
34        -106.4044      D(34)
【００３７】
ASPH     0(EP)      4(B)           6(C)           8(D)           10(E)
6      1.0000  -4.25000e-006   6.12207e-008   2.00143e-010  -1.09663e-012
7      1.0000  -1.96845e-006   2.42253e-008   7.54575e-010   1.25979e-011
12      1.0000   6.08530e-006   7.79170e-009   1.10120e-009  -5.24881e-012
13      1.0000  -2.38665e-006   1.18507e-008   7.51161e-010  -5.09462e-012
19      1.0000  -1.91242e-005  -3.31587e-009  -2.58489e-010   1.15764e-012
22      1.0000   1.28005e-005  -3.76476e-008   3.47794e-010  -2.15776e-012
31      1.0000   1.10228e-005  -1.15516e-007   3.47332e-010   9.08379e-013
32      1.0000   2.23434e-005  -1.33624e-007   5.13132e-010  -5.77227e-013
【００３８】
以下に、ズーム作動における面間隔の変化、すなわち広角端状態(f=28.4608mm)、中間焦点距離状態(f=91.4997mm)、及び望遠端状態(f=291.2621mm)の面間隔を示す。
f        28.4608         91.4997          291.2621
D( 5)       2.1627         30.8537           53.6308
D(13)      19.2177          9.5526            1.2559
D(21)       1.1475          1.9844            1.2675
D(25)       7.0100          2.4664            0.1505
D(34)       4.0000         72.1289           94.7195
【００３９】
（第４実施形態）
NS            R           D          Nd       ABV
1         144.0456      1.2417     1.84666   23.78
2          71.4976      6.7338     1.49700   81.61
3        -304.1001      0.1433   
4          57.5789      4.2982     1.77250   49.62
5         157.4440      D( 5)   
6 ASPH     62.9101      1.2417     1.85135   40.10
7 ASPH     15.5650      5.3011  
8         -37.1899      0.7164     1.77250   49.60
9          30.2912      0.1760   
10          25.8401      4.6802     1.84666   23.78
11         -30.9511      0.7164   
12 ASPH    -20.3158      1.0507     1.80139   45.45
13 ASPH    397.0636      D(13)    
14 STOP      0.0000      0.9552   
15          28.4039      2.2446     1.72916   54.67
16         131.2451      0.1433   
17          41.8389      3.0565     1.49700   81.54
18         -59.4610      1.1046    
19 ASPH     45.3463      3.9161     1.62263   58.16
20         -27.7950      0.6686     1.92286   20.88
21        -102.6083      D(21)    
22 ASPH    -63.0663      0.7641     1.82080   42.71
23          19.2008      2.3879     1.80809   22.76
24          45.5163      0.9552  
25           0.0000      D(25)    
26          35.0864      2.4834     1.49700   81.61
27         542.4920      0.1433   
28          34.9784      0.8596     1.80610   33.27
29          15.3631      9.8381     1.51742   52.43
30         -22.0503      1.9238   
31 ASPH    -19.4867      1.2417     1.80610   40.73
32 ASPH    589.8327      0.1655   
33         104.7763      2.1969     1.84666   23.78
34        -104.7763      D(34)
【００４０】
ASPH     0(EP)     4(B)           6(C)           8(D)           10(E)
6      1.0000  -4.71321e-006   6.75461e-008   2.19801e-010  -1.23619e-012
7      1.0000  -2.73619e-006   2.42354e-008   8.25385e-010   1.46476e-011
12      1.0000   6.19271e-006   9.24196e-009   1.24312e-009  -6.32234e-012
13      1.0000  -2.13493e-006   1.79283e-008   7.99753e-010  -5.73645e-012
19      1.0000  -2.03322e-005  -1.07111e-009  -2.83099e-010   1.29922e-012
22      1.0000   1.39739e-005  -4.67861e-008   4.09191e-010  -2.55153e-012
31      1.0000   1.20828e-005  -1.15794e-007   3.50361e-010   9.96320e-013
32      1.0000   2.33229e-005  -1.40041e-007   5.39993e-010  -6.54135e-013
【００４１】
以下に、ズーム作動における面間隔の変化、すなわち広角端状態(f=28.3341mm)、中間焦点距離状態(f=91.4999mm)、及び望遠端状態(f=291.2621mm)の面間隔を示す。
f         28.3341          91.4999          291.2621
D( 5)        2.1655          30.6622           52.7543
D(13)       18.8885           9.4078            1.2355
D(21)        1.1159           2.0194            1.2848
D(25)        7.0260           2.5941            0.1511
D(34)       40.0001          71.5352           94.4367
【００４２】
（第５実施形態）
NS            R           D          Nd       ABV
1         135.2367      1.1832     1.84666   23.78
2          67.5946      6.4168     1.49700   81.61
3        -296.5204      0.1365    
4          53.7506      4.0958     1.77250   49.62
5         140.4143      D( 5)    
6 ASPH     58.2061      1.1832     1.85135   40.10
7 ASPH     14.5794      5.0515     
8         -36.9896      0.6826     1.77250   49.60
9          29.0762      0.1500   
10          25.4334      4.4599     1.84666   23.78
11         -28.7943      0.6826  
12 ASPH    -19.0942      1.0012     1.80139   45.45
13 ASPH    476.9185      D(13)    
14 STOP      0.0000      0.9102    
15          24.6484      2.1389     1.72916   54.67
16          85.4286      0.1365   
17          40.6283      2.9126     1.49700   81.54
18         -54.5043      1.5751   
19 ASPH     44.7348      3.7317     1.62263   58.16
20         -26.0388      0.6371     1.92286   20.88
21         -90.9568      D(21)     
22 ASPH    -50.4103      0.7281     1.82080   42.71
23          19.2613      2.2754     1.80809   22.76
24          50.0621      0.9102   
25           0.0000      D(25)    
26          33.1514      2.3665     1.49700   81.61
27         461.2981      0.1365    
28          32.9097      0.8192     1.80610   33.27
29          14.5281      9.3748     1.51742   52.43
30         -21.0216      1.8326   
31 ASPH    -18.3479      1.1832     1.80610   40.73
32 ASPH    626.7437      0.4290   
33         100.2556      2.0934     1.84666   23.78
34        -100.2556      D(34)
【００４３】
ASPH     0(EP)      4(B)           6(C)           8(D)           10(E)
6      1.0000  -8.45388e-006   6.71077e-008   1.34700e-010  -4.93174e-013
7      1.0000  -7.90111e-006  -6.34122e-008   1.36100e-009   5.77506e-012
12      1.0000   3.89869e-006  -5.75273e-008   1.38653e-009  -5.03017e-012
13      1.0000  -7.24227e-006   7.78011e-009   5.96736e-010  -3.09962e-012
19      1.0000  -2.78191e-005   1.31626e-009  -6.28568e-010   3.02239e-012
22      1.0000   1.74078e-005  -8.16214e-008   7.96106e-010  -4.87538e-012
31      1.0000   1.34536e-005  -8.50142e-008  -3.05958e-010   4.12992e-012
32      1.0000   2.64790e-005  -1.43678e-007   2.83104e-010   5.21657e-013
【００４４】
以下に、ズーム作動における面間隔の変化、すなわち広角端状態(f=28.8400mm)、中間焦点距離状態(f=91.4991mm)、及び望遠端状態(f=291.2621mm)の面間隔を示す。
f            28.8400       91.4991        291.2621
D( 5)           2.3048       29.4936         50.0146
D(13)          17.3450        8.8424          1.1773
D(21)           0.9328        1.7077          1.2524
D(25)           6.5647        2.6304          0.1500
D(34)          40.5661       71.5859         96.6191
【００４５】
（第６実施形態）
NS            R           D          Nd       ABV
1         180.5245      1.3974     1.84666   23.78
2          84.8578      7.5780     1.49700   81.61
3        -283.7439      0.1612  
4          64.9439      4.8370     1.77250   49.62
5         180.2134      D( 5)   
6 ASPH     71.1542      1.3974     1.85135   40.10
7 ASPH     18.5927      5.9657  
8         -36.8014      0.8062     1.77250   49.60
9          34.2596      0.1987  
10          29.0869      5.2670     1.84666   23.78
11         -34.2245      0.8062    
12 ASPH    -23.3101      1.1824     1.80139   45.45
13 ASPH    264.6824      D(13)    
14 STOP      0.0000      1.0749  
15          33.4690      2.5260     1.72916   54.67
16         191.3458      0.1612   
17          41.6149      3.4397     1.49700   81.54
18         -84.3669      0.1500    
19 ASPH     48.7507      4.4071     1.62263   58.16
20         -32.1542      0.7524     1.92286   20.88
21        -123.2658      D(21)     
22 ASPH   -129.1881      0.8599     1.82080   42.71
23          19.9206      2.6872     1.80809   22.76
24          38.4618      1.0749    
25           0.0000      D(25)     
26          37.3044      2.7947     1.49700   81.61
27         299.2039      0.1612   
28          35.5370      0.9674     1.80610   33.27
29          16.5917     11.0714     1.51742   52.43
30         -26.8492      2.1836  
31 ASPH    -20.3309      1.3974     1.80610   40.73
32 ASPH   -378.9677      0.1500   
33         117.2889      2.4723     1.84666   23.78
34        -117.2889      D(34)
【００４６】
ASPH     0(EP)      4(B)           6(C)           8(D)           10(E)
6      1.0000  -2.31609e-006   3.75914e-008   1.64867e-010  -6.54325e-013
7      1.0000   1.32479e-006   3.68662e-008   3.84022e-010   6.27057e-012
12      1.0000   7.50894e-006   5.58858e-008  -1.54036e-010  -2.82676e-013
13      1.0000   2.53333e-006   1.87863e-008   3.11331e-010  -3.31776e-012
19      1.0000  -1.82742e-005  -1.19673e-008  -1.31733e-010   5.84520e-013
22      1.0000   1.78225e-005  -3.18052e-009   6.72553e-011  -4.79200e-013
31      1.0000   9.23608e-006  -4.80999e-008  -1.93088e-011   1.45950e-012
32      1.0000   1.89078e-005  -6.19715e-008   1.10485e-010   4.09573e-013
【００４７】
以下に、ズーム作動における面間隔の変化、すなわち広角端状態(f=28.8400mm)、中間焦点距離状態(f=91.4999mm)、及び望遠端状態(f=291.2621mm)の面間隔を示す。
f         28.8400         91.4999        291.2621
D( 5)        0.1500         30.2085         59.6113
D(13)       21.5632         10.8259          1.3904
D(21)        1.6039          1.8678          1.6000
D(25)        5.6530          1.6260          0.1505
D(34)       40.0001         76.7029         87.6658
【００４８】
（第７実施形態）
NS            R           D          Nd       ABV
1         159.4660      1.3375     1.84666   23.78
2          78.1338      7.2531     1.49700   81.61
3        -310.4288      0.1543   
4          62.9329      4.6297     1.77250   49.62
5         176.9525      D( 5)     
6 ASPH     68.8336      1.3375     1.85135   40.10
7 ASPH     16.7242      5.7099  
8         -39.4108      0.7716     1.77250   49.60
9          33.4809      0.1962  
10          28.5590      5.0412     1.84666   23.78
11         -32.4969      0.7716   
12 ASPH    -21.3469      1.1317     1.80139   45.45
13 ASPH    953.7337      D(13)    
14 STOP      0.0000      1.0288  
15          30.7710      2.4177     1.72916   54.67
16         147.7204      0.1543   
17          47.7286      3.2922     1.49700   81.54
18         -60.3341      0.8150   
19 ASPH     47.4026      4.2181     1.62263   58.16
20         -30.4475      0.7202     1.92286   20.88
21        -113.9736      D(21)    
22 ASPH    -84.9381      0.8231     1.82080   42.71
23          19.9069      2.5720     1.80809   22.76
24          42.6720      1.0288  
25           0.0000      D(25)   
26          36.7684      2.6749     1.49700   81.61
27         379.3374      0.1543    
28          36.0860      0.9259     1.80610   33.27
29          16.2846     10.5968     1.51742   52.43
30         -24.4760      2.1021    
31 ASPH    -23.0047      1.3375     1.80610   40.73
32 ASPH    180.6025      0.1509
33         112.6150      2.3663     1.84666   23.78
34        -112.6150      D(34)
【００４９】
ASPH     0(EP)      4(B)           6(C)           8(D)           10(E)
6      1.0000  -8.50953e-006   6.52873e-008   2.00003e-010  -8.82044e-013
7      1.0000  -7.90995e-006   2.50143e-008   2.90277e-010   1.04509e-011
12      1.0000   1.71995e-006   1.38490e-008   8.14630e-010  -3.28026e-012
13      1.0000  -5.10355e-006   2.29079e-008   6.10722e-010  -3.80168e-012
19      1.0000  -1.62110e-005  -4.26214e-009  -2.00100e-010   7.74691e-013
31      1.0000   7.00791e-006  -9.02400e-008   2.24929e-010   5.42984e-013
32      1.0000   1.65783e-005  -1.00230e-007   3.43177e-010  -3.47343e-013
【００５０】
以下に、ズーム作動における面間隔の変化、すなわち広角端状態(f=28.6753mm)、中間焦点距離状態(f=91.4971mm)、及び望遠端状態(f=291.2621mm)の面間隔を示す。
f        28.6753        91.4971        291.2621
D( 5)       1.1299        30.7837         56.8477
D(13)      20.5338        10.0256          1.3308
D(21)       1.2574         2.1308          1.3318
D(25)       8.7640         2.8651          0.3620
D(34)       4.1019        74.4012         93.4081
【００５１】
各実施形態の条件式の値は、以下に示す。
条件式  （１）  （２）    （３）    （４）    （５）    (６)    （７）    （８）
実施形態 f1/ft  |ft/f2|   f345t/f3  R/f5      D/f5      f5a/f5    Z3       |Z5|
１       0.319  0.047     0.808     0.241     0.009     0.428    1.650    4.352
２       0.320  0.047     0.874     0.326     0.161     0.617    1.693    5.137
３       0.310  0.046     0.825     0.260     0.033     0.451    1.651   -9.581
４       0.305  0.045     0.825     0.259     0.032     0.450    1.648  -10.769
５       0.292  0.043     0.823     0.254     0.032     0.443    1.629  -23.525
６       0.342  0.051     0.839     0.257     0.034     0.468    1.610   -5.167
７       0.329  0.048     0.830     0.258     0.033     0.457    1.649   -6.824
【符号の説明】
【００５２】
ＳＴＯＰ          絞り
Ｇ１              第１レンズ群
Ｇ２              第２レンズ群
Ｇ３              第３レンズ群
Ｇ４              第４レンズ群
Ｇ５              第５レンズ群
【図１】
2014016400.tif 000003
【図２】
2014016400.tif 000004
【図３】
2014016400.tif 000005
【図４】
2014016400.tif 000006
【図５】
2014016400.tif 000007
【図６】
2014016400.tif 000008
【図７】
2014016400.tif 000009
【図８】
2014016400.tif 000010
【図９】
2014016400.tif 000011
【図１０】
2014016400.tif 000012
【図１１】
2014016400.tif 000013
【図１２】
2014016400.tif 000014
【図１３】
2014016400.tif 000015
【図１４】
2014016400.tif 000016
【図１５】
2014016400.tif 000017
【図１６】
2014016400.tif 000018
【図１７】
2014016400.tif 000019
【図１８】
2014016400.tif 000020
【図１９】
2014016400.tif 000021
【図２０】
2014016400.tif 000022
【図２１】
2014016400.tif 000023
【図２２】
2014016400.tif 000024
【図２３】
2014016400.tif 000025
【図２４】
2014016400.tif 000026
【図２５】
2014016400.tif 000027
【図２６】
2014016400.tif 000028
【図２７】
2014016400.tif 000029
【図２８】
2014016400.tif 000030
【手続補正書】
【提出日】平成25年6月25日(2013.6.25)
【手続補正１】
【補正対象書類名】明細書
【補正対象項目名】００５１
【補正方法】変更
【補正の内容】
【００５１】
各実施形態の条件式の値は、以下に示す。
2014016400.tif 000031